(57)【特許請求の範囲】
【請求項１】
複数の画像供給装置に接続され、複数の画像供給装置から供給される複数種の画像信号の中から表示させたい画像信号を選択する入力部と、入力部により選択された画像信号を一定の仕様の送信画像信号とする画像信号処理部と、画像信号処理部で処理された画像信号を無線信号に変換して送出する無線通信インターフェース部とを備えた送信機と、送信機から送信された画像信号を受信する受信機と、受信機に接続され、受信機で受信された画像信号を入力信号として入力される画像表示装置とを備え、１台の送信機から送信された画像信号を複数の画像表示装置からでも表示できるように構成された画像表示システムにおいて、
１台の送信機から複数の受信機に送信可能なブロードキャストモードと１台の送信機から１台の受信機に送信されるユニキャストモードとがユーザにより選択されるように構成され、
ブロードキャストモードが選択されている場合には、コンテンツ保護の必要性がある画像信号は送信できないように構成されていると共に、任意の複数の受信機に送信機と同じＩＤを指定することにより前記任意の複数の受信機にコンテンツ保護の必要性のない画像信号が同時送信され、
ユニキャストモードが選択されている場合には、コンテンツ保護の必要性の有無に関係なく送信機と同じＩＤを指定した１台の受信機に画像信号が送信され、
さらに、ユニキャストモードが選択されている場合には、送信先として指定されていない受信機に、前記ＩＤを指定した１台の受信機と同じＩＤを追加指定しても、その追加指定は無効になるように設定されていることを特徴とする画像表示システム。
【請求項２】
送信機及び受信機をそれぞれ複数台持ち、各送信機がこれら受信機と組み合わされた請求項１に記載の画像表示システムを構築するように形成され、ブロードキャストモードが選択され複数台の送信機それぞれが画像信号を同時送信している場合に、受信機は、表示させたい画像信号を送信している送信機のＩＤを指定することにより、自由に送信機を選択して画像信号を受信することができるように構成されていることを特徴とする画像表示システム。
【請求項３】
前記送信機から前記受信機への送信は、５ＧＨｚ帯を利用したＭＩＭＯに対応したＲＦシステムにより送信されることを特徴とする請求項１又は２記載の画像表示システム。
【発明の詳細な説明】
【技術分野】
【０００１】
本発明は、液晶プロジェクタなどの複数の画像表示装置を用いた画像表示システム、特に、画像供給装置からの画像を無線伝送する画像表示システムに関する。
【背景技術】
【０００２】
従来一般のプロジェクタは、入力端子に、テレビ、パソコン、ビデオ装置などの画像供給装置がケーブルで接続されていた。また、実際にプロジェクタを設置するときは、スクリーンの位置との関係でプロジェクタの位置が画像供給装置から離れた場所になり勝ちであったが、プロジェクタと画像供給装置との距離に応じたケーブルで接続されていた。このため、入力画像信号がアナログ画像信号である場合は、ケーブルが長くなるとその分画像信号が減衰し画質の劣化を招くおそれがあった。また、入力画像信号がＨＤＭＩなどのデジタル画像信号である場合は、画像の劣化なく伝送できる距離に制限があり、今の技術では１０ｍ程度が限度となっていた。また、設置性の面でも有線での接続であるために画像供給装置からプロジェクタまでのケーブル配線が長くなると、見栄えが悪くなるとともに、費用も高くなるという問題があった。
【０００３】
このような問題を解決するものとして、液晶プロジェクタと画像供給装置との間を無線で接続するものがある。その一例として、特許文献１に記載された画像送受信装置を掲げることができる。この画像送受信装置は、描画データの生成を行う情報処理装置（画像供給装置）であるパソコンに画像送信装置を取り付けるとともに、画像表示装置である液晶プロジェクタの入口端子に受信装置を取り付け、パソコンから液晶プロジェクタに対し画像情報を無線送信するものである。
【０００４】
このように液晶プロジェクタなどの画像表示装置を用いた画像表示システムでは、液晶プロジェクタなどの画像表示装置に対し画像供給装置からの画像を無線伝送する場合、画像供給装置毎に送信機を取り付けるとともに、送信機１台に対し受信機１台のペアで行う所謂ユニキャストモードで配信されるのが一般的であった。
【特許文献１】特開２００４−１３７９５号公報
【発明の開示】
【発明が解決しようとする課題】
【０００５】
しかしながら、コンテンツ保護の必要がないアナログ画像信号などの表示については、複数のプロジェクタによる画像表示が必要とされている。そのような場所としては広い会議場などを挙げることができる。このような場合に画像を無線伝送しようとすると、例えば、図５に示すような画像表示システムになる。この図に示すように、１台の画像供給装置１０１に対し信号分配器１０２を介して複数台の送信機１０３が接続されている。そして、各送信機１０３からは１台の受信機１０４に画像信号が無線伝送される。また、各受信機１０４で受信された画像信号は、各受信機に接続された１台の液晶プロジェクタなどの画像表示装置１０５に入力されるように構成されている。このように、複数の画像表示装置１０５に対し画像信号を無線伝送する場合には、複数の画像表示装置１０５と同数の送信機１０３を必要とするともに、これら送信機１０３を信号分配器１０２を介して接続する必要があるため煩雑な配線を必要としていた。さらに、複数種の画像供給装置１０１を接続するときは、画像供給装置毎に上記のようなシステムが構築されることになるため、送信機がさらに増加するなど極めて複雑になるという問題があった。
【０００６】
本発明は、従来技術に存在するこのような問題点に着目してなされたものであって、画像信号を無線伝送する簡素な構成の画像表示システムを提供することを目的とする。
【課題を解決するための手段】
【０００７】
上記目的を達成するために、本願発明の画像表示システムは、  複数の画像供給装置に接続され、複数の画像供給装置から供給される複数種の画像信号の中から表示させたい画像信号を選択する入力部と、入力部により選択された画像信号を一定の仕様の送信画像信号とする画像信号処理部と、画像信号処理部で処理された画像信号を無線信号に変換して送出する無線通信インターフェース部とを備えた送信機と、送信機から送信された画像信号を受信する受信機と、受信機に接続され、受信機で受信された画像信号を入力信号として入力される画像表示装置とを備え、１台の送信機から送信された画像信号を複数の画像表示装置からでも表示できるように構成された画像表示システムにおいて、１台の送信機から複数の受信機に送信可能なブロードキャストモードと１台の送信機から１台の受信機に送信されるユニキャストモードとがユーザにより選択されるように構成され、ブロードキャストモードが選択されている場合には、コンテンツ保護の必要性がある画像信号は送信できないように構成されていると共に、任意の複数の受信機に送信機と同じＩＤを指定することにより前記任意の複数の受信機にコンテンツ保護の必要性のない画像信号が同時送信され、ユニキャストモードが選択されている場合には、コンテンツ保護の必要性の有無に関係なく送信機と同じＩＤを指定した１台の受信機に画像信号が送信され、さらに、ユニキャストモードが選択されている場合には、送信先として指定されていない受信機に、前記ＩＤを指定した１台の受信機と同じＩＤを追加指定しても、その追加指定は無効になるように設定されていることを特徴とする。
【０００８】
このような構成上の特徴を有する本発明の画像表示システムによれば、１台の送信機から複数の画像表示装置に対しそれぞれ受信機を介して画像を伝送することができる。このため、送信機を画像供給装置の近くに設置するとともに、画像表示装置を画像供給装置の位置とは無関係に伝送可能範囲内の最適の位置に設置することができる。また、複数の画像供給装置から複数の画像信号が供給される場合においても、１台の送信機において一定の仕様の無線信号に処理された後に無線伝送されるため、各種画像供給装置から供給される画像信号を、１台の送信機から受信機を介して複数の画像表示装置に無線伝送することができる。このように本発明によれば簡素な構成の画像表示システムを提供することができる。
【０００９】
また、送信機及び受信機をそれぞれ複数台持ち、各送信機がこれら受信機と組み合わされた請求項１に記載の画像表示システムを構築するように形成され、ブロードキャストモードが選択され複数台の送信機それぞれが画像信号を同時送信している場合に、受信機は、表示させたい画像信号を送信している送信機のＩＤを指定することにより、自由に送信機を選択して画像信号を受信することができるように構成されている。
【００１０】
また、前記送信機から前記受信機への送信は、５ＧＨｚ帯を利用したＭＩＭＯに対応したＲＦシステムにより送信される。
【発明の効果】
【００１５】
本発明によれば、送信機を画像供給装置の近くに設置するとともに、画像表示装置を画像供給装置の位置とは無関係に伝送可能範囲内の最適の位置に設置することができる。また、１台の送信機で各種画像供給装置からの画像信号を画像供給装置に対し画像信号を無線伝送することができるので、簡素な構成の画像表示システムを提供することができる。また、受信機は、画像表示装置に対し取着自在に取り付けられるので、受信機と画像表示装置との間はケーブルによる配線が不要となり、安価な画像表示システムを構築することができる。
【発明を実施するための最良の形態】
【００１６】
まず、この実施の形態の画像表示システムの全体概略構成について図１に基づき説明する。この実施の形態の画像表示システムは、図１に示すように、複数の送信機１と、各送信機１からの画像信号を受信する複数の受信機２と、受信機２で受信された画像信号を入力するように各受信機２に各１台接続される複数の画像表示装置３とを備えている。なお、この実施の形態においては、送信機１の台数を２台としている。各送信機１は、ＨＤＭＩ信号として画像信号を供給するテレビなどの画像供給装置４、ＤＶＩ信号として画像信号を供給するパソコンなどの画像供給装置５、コンポーネント信号として画像信号を供給するビデオ装置などの画像供給装置６が接続されている。画像供給装置４から供給される画像信号はデジタルコンテンツ保護の必要があるものであり、画像供給装置５及び画像供給装置６から供給される画像信号はデジタルコンテンツ保護の必要がないものである。
【００１７】
次に、送信機１について図２に基づき説明する。図２は送信機１の構成を示すブロック図である。送信機１は、図２に示すように、ＨＤＭＩ信号入力部１１ａ，ＤＶＩ信号入力部１１ｂ、コンポーネント信号入力部１１ｃからなる入力部１１を有する。ユーザ-は、送信機１の操作部１２に設けられている不図示の入力切替ボタンなどにより、表示器１３に表示される表示を見ながら、入力される画像信号を選択することができるように構成されている。選択された画像信号がＨＤＭＩ信号，ＤＶＩ信号の場合は、ＴＭＤＳ信号を受信して所定の映像信号に変換されてして画像信号処理部に入力される。一方、選択された画像信号がコンポーネント信号の場合は、Ａ／Ｄ変換部１４を介して画像信号処理部１５に入力される。
【００１８】
画像信号処理部１５に入力された画像信号は、この画像信号処理部１５においてカラースペースの変更、同期信号処理などの処理を行って一定の仕様の送信画像信号となるように処理される。また、この画像信号処理部１５においては、操作部１２で選択された画像信号についてコンテンツ保護の要否を判別する入力信号判別が行われる。これは選択された入力画像信号の種類により判別される。そして、選択された入力画像信号がＨＤＭＩ信号の場合は、コンテンツ保護の必要があるため、画像信号処理部１５において画像信号がＡＥＳ２５６規格により暗号化される。
【００１９】
このように処理された画像信号は、無線通信インターフェース部１６へ入力され、無線通信インターフェース部１６でＩＥＥＥ８０２．１１ａ規格に基づく無線信号に変換されて、アンテナ１７を介して５ＧＨｚ帯を利用したＭＩＭＯに対応したＲＦシステムにより送信される。
【００２０】
以上の構成において、入力部１１、表示器１３、Ａ／Ｄ変換部１４、画像信号処理部１５及び無線通信インターフェース部１６は、制御部１８により制御されている。また、送信機１は、操作部１２において送信方式として同時配信モード、すなわちブロードキャストモードか、１台の送信機から１台の受信機に送信されるユニキャストモードかを選択できるように構成されている。操作部１２においてブロードキャストモードが選択された場合は、入力切替ボタンにより入力する画像信号としてＨＤＭＩ信号を選択できないように構成されているとともに、無線通信インターフェース部１６において空きチャンネルを検出するように構成されている。以上が送信機１の構成である。
【００２１】
次に、受信機２について図３に基づき説明する。図３は受信機２及び画像表示装置の構成を示すブロック図である。受信機２は、画像表示装置３に対し外部から直接的に取着自在に取り付けられるユニットとして構成されている。また、受信機２は、送信機１から送信される画像信号を無線電波で受信するための無線通信インターフェース部２１と、この無線通信インターフェース部２１で受信された画像信号のノイズを除去するとともに、暗号化された画像信号を受信した場合にこれを復号化する画像信号処理部２２とを備えている。なお、この複合化処理は、この受信機２においてユニキャストモードで受信することが選択された場合にのみ行なわれる。そして、受信機２が画像表示装置３に取り付けられた状態で使用される場合は、画像表示装置３から電源が供給されるとともに、画像表示装置３の操作部３９により操作され、さらに画像表示装置３の制御部３８により制御されるように構成されている。なお、前述の無線通信インターフェース部２１にはアンテナ２３が付設されている。
【００２２】
一方、画像表示装置３は、光変調素子に液晶パネルを用いた所謂３板式液晶プロジェクタであって、受信機２で受信された画像情報が入力される画像信号入力部３１、画像信号入力部３１に入力された画像情報をスケーリング処理、台形歪補正、色むら補正などの一般的な画像信号処理をする画像信号処理部３２を有する。また、この画像表示装置３は、液晶パネル３３を駆動する液晶パネル駆動部３４、光源ランプ３５を駆動するランプ駆動部３６、液晶パネル３３、投写レンズ系３７などを有する。
【００２３】
また、画像表示装置３は、画像表示装置全体及び画像表示装置に３に対し取着自在に取り付けられる受信機全体を制御する制御部３８、画像表示装置３及び受信機２を操作する操作部３９などを有する。操作部３９は、送信機１から伝送される画像信号の受信を、受信機２においてブロードキャストモードで受信するか、ユニキャストモードで受信するかを選択操作するとともに、受信機２が受信する相手先の送信機１のＩＤを指定する操作を行う。なお、画像表示装置３は、受信機２が取り付けられない場合は、通常の液晶プロジェクタとして使用することができる。
【００２４】
以上のように構成される画像表示システムでは、次のように画像信号が画像表示装置３に伝送される。
各送信機１では、送信方式をブロードキャストモードで無線送信するか、ユニキャストモードで無線送信するかがユーザにより選択される。また、ユニキャストモードで無線送信する方式が選択された場合は受信機２のＩＤが指定される。次いで、ユーザにより画像切換スイッチ（不図示）が操作され画像供給装置４，５，６から受信する画像信号が選択される。このとき、ブロードキャストモードで無線送信する送信方式が選択されている場合は、入力画像信号としてコンテンツ保護の必要があるＨＤＭＩ信号を選択することができないように構成されている。
【００２５】
また、送信機１に入力された画像信号は、送信機１の画像信号処理部１５で一定の仕様の送信画像信号となるように処理され、無線通信インターフェース部１６でＩＥＥＥ８０２．１１ａ規格に基づき変換され、５ＧＨｚ帯を利用したＭＩＭＯに対応したＲＦシステムにより送信される。なお、入力された画像信号がコンテンツ保護の必要がある場合は、画像信号処理部１５において暗号化された画像信号として送信される。
【００２６】
受信機２側では、ユーザにより受信モードをブロードキャストモードとするかユニキャストモードとするが選択される。この選択は、画像表示装置３の操作部３９を操作して行われる。
【００２７】
送信機１側でブロードキャストモードが選択されている場合は、受信機２側で表示したい画像が記録されている送信機１のＩＤを指定することにより、好みの画像信号を受信することができる。したがって、複数の受信機２が全て同一の送信機１のＩＤを指定している場合は、各画像表示装置３が同一の送信機１から同時配信される画像信号が表示される。
【００２８】
また、送信機１側でユニキャストモードが選択されている場合は、送信機１で指定されたＩＤを保有する受信機２のみが画像信号を受信することが可能となり、他の受信機２では画像信号を受信することができない。この場合、受信機２でユニキャストモードが選択されると、受信機２のＩＤを指定した送信機１と、送信機１によりＩＤが指定された受信機２との間で、双方向通信によりＩＤ情報や暗号化に関するＫｅｙ情報が自動的に交換されてセットアップされる。さらに、送受信機間の距離に最適な出力パワーが選択されるとともに、障害のない最適なキャリア周波数が決定される。なお、ユニキャストモードによる送信先として指定されていない受信機２が、当該送信機１のＩＤを指定しもその指定は無効になる。また、このように一部の送信機１がブロードキャストモードで画像信号を送信し、他の送信機１がユニキャストモードで画像信号を送信する場合は、例えば図４のように二つの送信モードが並列的に行われる。
【００２９】
上記のように構成された本実施の形態に係る画像表示システムによれば、次のような効果を奏することができる。
（１）本実施の形態に係る画像表示システムは、１台の送信機１から複数の画像表示装置３に対しそれぞれ受信機２を介して画像を伝送することができる。このため、送信機１を画像供給装置４，５，６の近くに設置するとともに、画像表示装置３を画像供給装置４，５，６の位置とは無関係に伝送可能範囲内の最適の位置に設置することができる。
【００３０】
（２）複数の画像供給装置４，５，６から複数の画像信号が供給される場合においても、１台の送信機１において一定の仕様の無線信号に処理された後に無線伝送されるため、１台の送信機１で各種画像供給装置４，５，６から供給される画像信号の何れをも、受信機２を介し複数の画像表示装置３に対し安定的に無線伝送することができる。このように本実施の形態によれば簡素な構成の画像表示システムを提供することができる。
【００３１】
（３）受信機２は、記録された送信機１のＩＤが指定されることにより、送信機１から同時配信される画像信号を任意に受信できるように構成されているので、受信機側にて送信機１から同時配信される画像信号を選択的に受信することができる。
【００３２】
（４）画像供給装置４，５，６からの入力画像信号は、送信機１においてデジタルコンテンツ保護の要否が判別され、保護の必要がない画像信号は、１台の送信機１から複数台の受信機２へ同時配信（ブロードキャストモードで送信）され、保護が必要な画像信号は、１台の送信機１から１台の受信機のみへ配信（ユニキャストモードで送信）される。したがって、デジタルコンテンツ保護の必要がない画像信号は、複数台の受信機２に対し同時配信されるので便利である。一方、デジタルコンテンツ保護の必要がある画像信号は、特定の受信機２のみに伝送されるのでデジタルコンテンツ保護が確実に行われる。
【００３３】
（５）送信機１及び受信機２をそれぞれ複数台持つ画像表示システムであって、複数台の送信機１それぞれから画像信号が同時配信（ブロードキャストモードで送信）されている場合に、受信機２は、表示したい画像信号を配信している送信機１のＩＤを指定することにより、自由に送信機１を選択して画像信号を受信することができる。したがって、複数台の送信機１により多様な画像信号を受信機２に対し提供することができるとともに、受信機２側で必要とする画像信号を選択して受信することができる。
【００３４】
（６）送信機１から受信機２への送信は、５ＧＨｚ帯を利用したＭＩＭＯに対応したＲＦシステムにより送信されるので、伝送速度を高速とすることができる。これにより、動画のデジタル画像信号を配信することができる。
【００３５】
（７）本実施の形態に係る送信機１は、複数の画像供給装置４，５，６から複数種の画像信号を一定の仕様の送信画像信号として送信するので、１台の送信機１で複数の画像供給装置４，５，６からの画像信号を安定的に配信することができる。また、このような送信機１を用いることにより簡素な構成の画像表示システムを構築することができる。
【００３６】
（８）受信機２は、画像表示装置３に対し取着自在に取り付けられるユニットとして構成されている。そして、画像信号を受信するための無線通信インターフェース部２１、受信された画像信号のノイズを除去する画像信号処理部２２を備えているが、画像表示装置３の操作部３９により操作されるとともに、画像表示装置３の制御部３８により制御されるように構成されている。このように、本実施の形態に係る受信機２は、画像表示装置３の構成機器が利用されるとともに、受信機２と画像表示装置３との間の配線が不要となっているので、安価な受信機２を提供することができ、安価な画像表示システムを構築することができる。
【００３７】
（変形例）
上記実施の形態において以下のように変更することもできる。
・受信機２は、画像表示装置３に対し取着自在に取り付けられるユニットとして構成されているが、画像表示装置３に一体化されたものして製作することもできる。
【００３８】
・上記実施の形態においては、送信機１の台数を２台としているが、１台とすることもできるし、３台以上としてもよい。
・上記実施の形態においては、画像表示装置として光変調素子に液晶パネルを用いた液晶プロジェクタを示したが、これに限定されるものではなく、他の画像光生成系を備えた投写型プロジェクタとしてもよい。例えば、ＤＬＰ（Digital Light Processingテキサス・インスツルメンツ（ＴＩ社）の登録商標）方式のプロジェクタにおいても本発明を適用することができる。
【産業上の利用可能性】
【００３９】
本発明に係る画像表示システムは、多数の人が集まる展示会、集会などにおける画像表示システムとして有用である。
【図面の簡単な説明】
【００４０】
【図１】本発明の実施の形態に係る画像表示システムの全体概略構成図である。
【図２】同画像表示システムにおける送信機の構成を示すブロック図である。
【図３】同画像表示システムにおける受信機の構成を示すブロック図である。
【図４】同画像表示システムにおける送信モード説明図である。
【図５】従来の画像表示システムの概略構成図である。
【符号の説明】
【００４１】
１…送信機、２…受信機、３…画像表示装置、４，５，６…画像供給装置、１１…入力部、１５，２２，３２…画像信号処理部、１６，２１…無線通信インターフェース部、３８…制御部、３９…操作部。
【図１】
0005180750.tif 000002
【図２】
0005180750.tif 000003
【図３】
0005180750.tif 000004
【図４】
0005180750.tif 000005
【図５】
0005180750.tif 000006